(57)【要約】発明は、水性又は湿性媒体中のテキスタイルケアー用の組成物における、非イオン性多糖であって、それの天然の骨格が同様の又は異なるアンヒドロヘキソース単位を含む主鎖、及び少なくとも１つのアンヒドロペントース及び／又はアンヒドロヘキソース単位を含む枝で形成されるものの使用に関する。天然の骨格のアンヒドロヘキソース及び／又はアンヒドロペントース単位を少なくとも１つの非イオン性基によって改質する。その組成物は、テキスタイル品を洗濯する及び／又はすすぐ及び／又は軟化する、プレスポットする、湿潤織物を乾燥機で乾燥させる又はアイロン掛けを助成するためにデザインする。【特許請求の範囲】
【請求項１】
水性又は湿性媒体中の紡織繊維で造られる品をケアーするための組成物における、該組成物の作業条件下で可溶性の非イオン性多糖の少なくとも一種の、該品の劣化を防ぐ及び該品の色を保護する及び／又は該品に防しわ性及び／又は軟化性を付与するための薬剤としての使用であり、多糖の天然の骨格が、下記：
同様の又は異なるアンヒドロヘキソース単位を含む主鎖、及び
少なくとも一種のアンヒドロペントース及び／又はアンヒドロヘキソース単位を含む枝から形成され、
天然の骨格のアンヒドロヘキソース及び／又はアンヒドロペントース単位は少なくとも１つの非イオン性基で改質され、
該非イオン性基によるアンヒドロヘキソース及び／又はアンヒドロペントース単位の改質度ＭＳは、少なくとも０．００１、好ましくは０．０１である、使用。
【請求項２】
改質度ＭＳが６までであることを特徴とする請求項１記載の使用。
【請求項３】
改質度ＭＳが３よりも小さいことを特徴とする請求項１又は２記載の使用。
【請求項４】
改質度ＭＳが２までであることを特徴とする請求項１〜３のいずれか一に記載の使用。
【請求項５】
非イオン性基が糖骨格の炭素原子に直接にか又は−Ｏ−結合を経てのいずれかで結合されることを特徴とする請求項１〜４のいずれか一に記載の使用。
【請求項６】
非イオン性基が、下記式：
−［−ＣＨ2−ＣＨ（Ｒ）−Ｏ］x−Ｒ1
（式中：
Ｒは水素原子又は炭素原子１〜４を含有するアルキルラジカルであり、
ｘは０〜６の範囲の整数であり、
Ｒ1は下記を表わす：
ｘが０と異なる時に、水素原子
炭素原子１〜２２を含有し、随意に１つ又はそれ以上の酸素及び／又は窒素ヘテロ原子が割り込むアルキルラジカル、炭素原子６〜１２を含有するシクロアルキル、アリール又はアリールアルキル、
−（ＣＨ2）y−ＣＯＯＲ2ラジカル
−（ＣＨ2）y−ＣＮラジカル
−（ＣＨ2）y−ＣＯＮＨＲ2ラジカル
（Ｒ2は炭素原子１〜２２を含有するアルキル、アリール又はアリールアルキルラジカルを表わし、ｙは０〜５の範囲の整数である）
糖骨格の炭素原子に−Ｏ−結合を経て結合される−ＣＯ−ＮＨ−Ｒ1（Ｒ1は、上に挙げた定義を有する））
を有することを特徴とする請求項１〜５のいずれか一に記載の使用。
【請求項７】
前記非イオン性基が、下記の基：
糖骨格の炭素原子にエーテル、エステル、アミド又はウレタン結合を経て結合される、メチル、エチル、プロピル、イソプロピル、ブチル、ヘキシル、オクチル、ドデシル、オクタデシル、フェニル、ベンジル、
糖骨格の炭素原子に−Ｏ−結合を経て結合されるシアノエチル、ヒドロキシエチル、ヒドロキシプロピル、ヒドロキシブチル
であることを特徴とする請求項１〜６のいずれか一に記載の使用。
【請求項８】
天然の骨格の主鎖のヘキソース単位（同一である又は異なる）がＤ−グルコース、Ｄ−又はＬ−ガラクトース、Ｄ−マンノース、Ｄ−又はＬ−フコース或はＬ−ラムノース単位であることを特徴とする請求項１〜７のいずれか一に記載の使用。
【請求項９】
天然の骨格の枝のペントース及び／又はヘキソース単位（同一である又は異なる）がＤ−キシロース、Ｌ−又はＤ−アラビノース、Ｄ−グルコース、Ｄ−又はＬ−ガラクトース、Ｄ−マンノース、Ｄ−又はＬ−フコース或はＬ−ラムノース単位であることを特徴とする請求項１〜８のいずれか一に記載の使用。
【請求項１０】
前記天然の骨格がガラクトマンナン、ガラクトグルコマンナン、キシログルカン又はスクレログルカンであることを特徴とする請求項１〜９のいずれか一に記載の使用。
【請求項１１】
前記天然の骨格がガラクトマンナンであることを特徴とする請求項１０記載の使用。
【請求項１２】
前記非イオン性多糖がヒドロキシプロピルガラクトマンナンであることを特徴とする請求項１１記載の使用。
【請求項１３】
前記非イオン性多糖がヒドロキシプロピルグアーであることを特徴とする請求項１２記載の使用。
【請求項１４】
前記ヒドロキシプロピルグアーが、改質度０．１〜６、好ましくは０．１〜１．６、最も特に０．４〜１．２を有することを特徴とする請求項１３記載の使用。
【請求項１５】
前記組成物が、下記：
水に希釈した後に、処理すべき紡織繊維で造られる品と接触して置かれる固体、分散液もしくは濃厚水溶液；
水に希釈する前に処理すべき紡織繊維で造られる乾燥品上にあらかじめ置かれる分散液もしくは濃厚水溶液；
希釈しないで処理すべき紡織繊維で造られる乾燥品上に直接置かれるべき分散液もしくは水溶液又は処理すべき乾燥品に直接に適用すべき、前記非イオン性多糖を含む固体の支持体；或は
処理すべき紡織繊維で造られる湿潤品と直接に接触して置かれる該非イオン性多糖を含む不溶性の固体の支持体
の形態であることを特徴とする請求項１〜１４のいずれか一に記載の使用。
【請求項１６】
前記組成物が、前記非イオン性多糖を固形分として表して０．０５〜１０％含むことを特徴とする請求項１〜１５のいずれか一に記載の使用。
【請求項１７】
前記組成物が、下記：
希釈することによって直接に洗浄浴を形成することができる、前記非イオン性多糖を固形分として表して０．０５〜５％、好ましくは０．１〜３％含む固体もしくは液体の洗浄剤配合物；
希釈することによって直接にすすぎ及び／又は軟化浴を形成することができる、該非イオン性多糖を固形分として表して０．０５〜３％、好ましくは０．１〜２％含む液体のすすぎ用及び／又は軟化用配合物；
タンブル乾燥機において紡織繊維で造られる湿潤品と接触して置くことを意図する、該非イオン性多糖を固形分として表して０．０５〜１０％、好ましくは０．１〜５％含む固体材料、特に繊維材料；
該非イオン性多糖を固形分として表して０．０５〜１０％、好ましくは０．１〜５％含む水性のアイロン掛け用配合物；
該非イオン性多糖を含有する又は含有しない洗浄剤配合物を使用する洗浄作業の前に紡織繊維で造られる乾燥品に適用することを意図する、該非イオン性多糖を固形分として表して０．０５〜１０％、好ましくは０．１〜５％含むプレスポッター
であることを特徴とする請求項１〜１６のいずれか一に記載の使用。
【請求項１８】
前記組成物が、紡織繊維で造られる品用の少なくとも一種の界面活性剤及び／又は少なくとも一種の洗浄剤添加物及び／又はすすぎ添加物及び／又は軟化剤及び／又は前記非イオン性多糖用の少なくとも一種の固体支持体を含有することを特徴とする請求項１〜１７のいずれか一に記載の使用。
【請求項１９】
水性又は湿性媒体中で紡織繊維で造られる品をケアーするための組成物の性質を、該組成物に少なくとも一種の非イオン性多糖を該品の劣化を防ぐために及び該品の色を保護し及び／又は該品に防しわ性及び／又は軟化性を付与するための量で加えることによって改良する方法であって、少なくとも一種の非イオン性多糖の使用が、請求項１〜１４のいずれか一の主題を形成する方法。
【請求項２０】
紡織繊維で造られる品を水性又は湿性媒体中で少なくとも一種の非イオン性多糖を含む組成物を使用して処理することによって紡織繊維で造られる品の劣化を防ぎ及び該品の色を保護し及び／又は該品に防しわ性及び／又は軟化性を付与するための方法であって、少なくとも一種の非イオン性多糖の使用が、請求項１〜１４のいずれか一の主題を形成する方法。
【請求項２１】
前記組成物が、下記：
水に希釈した後に、処理すべき紡織繊維で造られる品と接触して置かれる固体、分散液もしくは濃厚水溶液；
水に希釈する前に処理すべき紡織繊維で造られる乾燥品上にあらかじめ置かれる分散液もしくは濃厚水溶液；
希釈しないで処理すべき紡織繊維で造られる乾燥品上に直接置かれるべき分散液もしくは水溶液又は処理すべき乾燥品に直接に適用すべき、前記非イオン性多糖を含む固体の支持体；或は
処理すべき紡織繊維で造られる湿潤品と直接に接触して置かれる該非イオン性多糖を含む不溶性の固体の支持体
の形態であることを特徴とする請求項１９又は２０の方法。
【請求項２２】
前記組成物が、下記：
希釈することによって直接に洗浄浴を形成することができる、前記非イオン性多糖を固形分として表して０．０５〜５％、好ましくは０．１〜３％含む固体もしくは液体の洗浄剤配合物；
希釈することによって直接にすすぎ及び／又は軟化浴を形成することができる、該非イオン性多糖を固形分として表して０．０５〜３％、好ましくは０．１〜２％含む液体のすすぎ用及び／又は軟化用配合物；
タンブル乾燥機において紡織繊維で造られる湿潤品と接触して置くことを意図する、該非イオン性多糖を固形分として表して０．０５〜１０％、好ましくは０．１〜５％含む固体材料、特に繊維材料；
該非イオン性多糖を固形分として表して０．０５〜１０％、好ましくは０．１〜５％含む水性のアイロン掛け用配合物；
該非イオン性多糖を含有する又は含有しない洗浄剤配合物を使用する洗浄作業の前に紡織繊維で造られる乾燥品に適用することを意図する、該非イオン性多糖を固形分として表して０．０５〜１０％、好ましくは０．１〜５％含むプレスポッター
であることを特徴とする請求項１９〜２１のいずれか一に記載の方法。
【請求項２３】
前記品が、綿、好ましくは着色綿を少なくとも３５重量％含有することを特徴とする請求項１９〜２２のいずれか一に記載の方法。
【発明の詳細な説明】
【技術分野】
【０００１】
本発明は、少なくとも一種の非イオン性多糖の、紡織繊維で造られる品をケアーする（テキスタイルケアー）、特に綿ベースの品、特に着色品をケアーするための組成物における、これら品の劣化を防ぐ、該品の色を保護する及び／又は該品に防しわ性及び／又は軟化性を付与するための剤としての使用に関する。
【背景技術】
【０００２】
紡織繊維で造られる品、特に織物を、特に洗浄又はすすぎ作業の間に、物理的又は化学的劣化現象に対して保護する（特に着色品の色を保護する）及び／又は該品に利点、例えば軟化性及び／又は防しわ性を付与することは有利である。
【０００３】
織物を機械洗浄すると、繊維、最も特に綿繊維を物理的及び化学的に劣化するに至る。洗浄剤によりかつまた酸化用物質（ペルボレート又はペルカーボネート）のようなある種の特定の化合物又はある種の酵素が出すアルカリ度は、綿繊維の化学的劣化の原因になり得る。しかし、繊維を劣化するに至るのは、化学的作用と機械的作用との組合せであるのが普通である。機械的作用は、洗浄、すすぎ、スピン乾燥又はタンブル乾燥がタンブル乾燥機において行われる時に、洗浄、すすぎ、スピン乾燥又はタンブル乾燥の間に生成される。繊維のこの劣化は、紡織繊維の表面にフィブリルを形成するに至り、ついには着色紡織繊維にそれらの輝きを失わさせるに至る。この劣化は、また、紡織繊維の強度の低下も誘発し、極端な状態では、織物の裂きに至り得る。紡織繊維のこの劣化は、着色紡織繊維の色の損失か又は紡織繊維の引裂強度の低下のいずれかによって定量的に評価することができる。このタイプの劣化を知覚するために、１０〜２０回の累積機械洗浄を実施するのが通常必要である。
【０００４】
洗濯機でのクリーニングは、体系的にスピン乾燥作業を含み、また、しわが付いた織物に至り、これは、タンブル乾燥段階の間に、特に繊維間の水素結合を形成することによって、目立たせられる。こうして、織物を体裁良く見えさせるために、織物にアイロン掛けするのが必要である。
【０００５】
洗浄又はすすぎの間の繊維の劣化を低減させるために、化学製品又は洗浄剤の供給業者は、洗浄剤配合の変化を利用し又はある種の特定の添加物を使用してきた。
【０００６】
特に、酸化用システムを含まない洗浄剤を挙げることができるが、これらはクリーニング能力の低下したものである。
【０００７】
また、シリコーンベースの化合物、特にアミノシリコーンも使用された（ＵＳ−Ａ−４  ５８５  ５６３；ＷＯ  ９２／０７９２７；ＷＯ  ９８／３９４０１）。
【０００８】
ヒドロキシプロピルグアーを紡織繊維用液体洗浄剤組成物において増粘剤として使用することが知られている（日本１１  ３３５  ６９８  Ａ）。
【発明の開示】
【発明が解決しようとする課題】
【０００９】
出願人は、紡織繊維で造られる品、特に綿ベースの品、特に着色された品を処理するための組成物における、水性又は湿性媒体中で作業条件下で可溶性のある種の非イオン性、疎水性置換基保持多糖の使用が、これらの品の劣化を防ぐ、色を保護する及び／又はこれらの品に防しわ性及び／又は軟化性を付与することを可能にすることを見出した。
【００１０】
そのような組成物は、特に、紡織繊維で造られる品を洗浄する及び／又はすすぐ及び／又は軟化するための、紡織繊維で造られる品から洗浄する前によごれを除く（「プレスポットする」）ための、紡織繊維で造られる品をタンブル乾燥機においてタンブル乾燥させるための或は紡織繊維で造られる品のアイロン掛けを一層容易にするための組成物にすることができる。
【課題を解決するための手段】
【００１１】
発明の第一の主題は、水性又は湿性媒体中の紡織繊維で造られる品をケアーするための組成物における、該組成物の作業条件下で可溶性の非イオン性多糖の少なくとも一種の、該品の劣化を防ぐ及び／又は該品の色を保護する及び／又は該品に防しわ性及び／又は軟化性を付与するための薬剤としての使用であり、多糖の天然の骨格が、下記：
同様の又は異なるアンヒドロヘキソース単位を含む主鎖、及び
少なくとも一種のアンヒドロペントース及び／又はアンヒドロヘキソース単位を含む枝から形成され、
天然の骨格のアンヒドロヘキソース及び／又はアンヒドロペントース単位は少なくとも１つの非イオン性基で改質され、
該非イオン性基によるアンヒドロヘキソース及び／又はアンヒドロペントース単位の改質度ＭＳが、少なくとも０．００１、好ましくは０．０１である、使用からなる。
【発明を実施するための最良の形態】
【００１２】
該非イオン性多糖を１重量％含有する水溶液の粘度は、ブルックフィールド粘度計を２０ｒｐｍで使用して２５℃で測定して、好ましくは２００〜５  ０００ｍＰａ．ｓの範囲にすることができる。
【００１３】
改質度ＭＳは、アンヒドロヘキソース及び／又はアンヒドロペントース単位当たり反応した非イオン性改質基のプリカーサー（前駆物質）の平均モル数として表わす。
【００１４】
改質度ＭＳは、該改質基のプリカーサーの性質に従って変わり得る。
【００１５】
該プリカーサーが新しい反応性ヒドロキシル基（例えば、アルキル化プリカーサー）を形成することができないならば、非イオン性基による改質度は、定義により３よりも小さい。
【００１６】
該プリカーサーが新しい反応性ヒドロキシル基（例えば、ヒドロキシアルキル化プリカーサー）を形成することができるならば、改質度ＭＳは理論的に制限が無く；改質度ＭＳは、例えば６まで、好ましくは２までになり得る。
【００１７】
該非イオン性基は、糖骨格の炭素原子に直接にか又は−Ｏ−結合を経てのいずれかで結合される。
【００１８】
挙げることができる非イオン性基の中に、下記式のものがある：
−［−ＣＨ2−ＣＨ（Ｒ）−Ｏ］x−Ｒ1
（式中：
Ｒは水素原子又は炭素原子１〜４を含有するアルキルラジカルであり、
ｘは０〜６の範囲の整数であり、
Ｒ1は下記を表わす：
ｘが０と異なる時に、水素原子
炭素原子１〜２２を含有し、随意に１つ又はそれ以上の酸素及び／又は窒素ヘテロ原子が割り込むアルキルラジカル、炭素原子６〜１２を含有するシクロアルキル、アリール又はアリールアルキル、
−（ＣＨ2）y−ＣＯＯＲ2ラジカル
−（ＣＨ2）y−ＣＮラジカル
−（ＣＨ2）y−ＣＯＮＨＲ2ラジカル
（Ｒ2は炭素原子１〜２２を含有するアルキル、アリール又はアリールアルキルラジカルを表わし、ｙは０〜５の範囲の整数である））
糖骨格の炭素原子に−Ｏ−結合を経て結合される−ＣＯ−ＮＨ−Ｒ1（Ｒ1は、上に挙げた定義を有する。
【００１９】
最も特に下記の基を挙げることができる：
糖骨格の炭素原子にエーテル、エステル、アミド又はウレタン結合を経て結合される、メチル、エチル、プロピル、イソプロピル、ブチル、ヘキシル、オクチル、ドデシル、オクタデシル、フェニル、ベンジル、
糖骨格の炭素原子に−Ｏ−結合を経て結合されるシアノエチル、ヒドロキシエチル、ヒドロキシプロピル、ヒドロキシブチル。
【００２０】
天然の骨格の主鎖のヘキソース単位（同一である又は異なる）は、Ｄ−グルコース、Ｄ−又はＬ−ガラクトース、Ｄ−マンノース、Ｄ−又はＬ−フコース、Ｌ−ラムノース等の単位にすることができる。
【００２１】
天然の骨格の枝のペントース及び／又はヘキソース単位（同一である又は異なる）がＤ−キシロース、Ｌ−又はＤ−アラビノース、Ｄ−グルコース、Ｄ−又はＬ−ガラクトース、Ｄ−マンノース、Ｄ−又はＬ−フコース或はＬ−ラムノース等の単位にすることができる。
【００２２】
挙げることができる天然の骨格の例は、ガラクトマンナン、ガラクトグルコマンナン、キシログルカン、スクレログルカン等を含む。
【００２３】
天然の骨格は、ガラクトマンナンであるのが好ましい。ガラクトマンナンは、β（１−４）位で結合されるＤ−マンノピラノース単位の主鎖をＤ−ガラクトピラノース単位によりα（１−６）位で置換させてなる高分子である。これらの中で、グアーガム、カロブガム及びタラガムを挙げることができる。
【００２４】
天然の骨格は、グアーガムであるのが最も好ましい。グアーガムは、マンノース／ガラクトース比２を有する。
【００２５】
発明に従う非イオン性多糖は、それ自体知られている様式で得ることができる。
【００２６】
それらのほとんどは、商品である。
【００２７】
挙げることができる発明に従う非イオン性多糖の例は、最も特にヒドロキシプロピルガラクトマンナン、特にヒドロキシプロピルグアーを含む。
【００２８】
これらの多糖は、発明の良好な実施のために、改質度約０．１〜６、好ましくは０．１〜１．６、最も好ましくは０．４〜１．２を有することができる。
【００２９】
発明の第二の主題は、紡織繊維で造られる品を水性又は湿性媒体中でケアーするための組成物の性質を、該組成物に、該品の劣化を防ぐために及び該品の色を保護し及び／又は該品に防しわ性及び／又は軟化性を付与するために発明に従う非イオン性多糖を少なくとも一種有効な量で加えることによって改良するプロセスからなる。
【００３０】
発明の第三の主題は、紡織繊維で造られる品を水性又は湿性媒体中で発明に従う非イオン性多糖を少なくとも一種含む組成物で処理することによって紡織繊維で造られる品の劣化を防ぎ及び該品の色を保護し及び／又は該品に防しわ性及び／又は軟化性を付与するプロセスからなる。
【００３１】
組成物及び作業（又は処理）条件は、多数の形態にすることができる。
【００３２】
該組成物は、下記：
水に希釈した後に、処理すべき紡織繊維で造られる品と接触して置かれる固体（粉末、顆粒、錠剤等）もしくは分散液もしくは濃厚水溶液の形態；
水に希釈する前に処理すべき乾燥品上にあらかじめ置かれる分散液もしくは濃厚水溶液の形態；
希釈しないで処理すべき乾燥品上に直接置かれるべき分散液もしくは水溶液又は処理すべき乾燥品に直接に適用すべき、該非イオン性多糖を含む固体の支持体（スティック）の形態；
処理すべき湿潤品と直接に接触して置かれる該非イオン性多糖を含む不溶性の固体の支持体の形態
にすることができる。
【００３３】
これより、発明に従う組成物は、下記にすることができる：
希釈することによって直接に洗浄浴を形成することができる固体もしくは液体の洗浄剤配合物；
希釈することによって直接にすすぎ及び／又は軟化浴を形成することができる液体のすすぎ用及び／又は軟化用配合物；
タンブル乾燥機において湿潤織物と接触して置くことを意図する、該非イオン性多糖を含む固体材料、特にテキスタイル（該固体材料を本明細書中以降で「タンブル乾燥機添加物」と呼ぶ）；
水性アイロン掛け用配合物；
該非イオン性多糖を含有する又は含有しない洗浄剤配合物を使用する洗浄作業の前に乾燥織物上に置くことを意図する洗浄用添加物（「プレスポッター」）（該添加物を本明細書中以降で「プレスポッター」と呼ぶ）。
【００３４】
発明の組成物は、品（織物）、特に綿ベースの品、特に綿を少なくとも３５％含有する品をケアーするために特に適している。発明の組成物は、着色をケアーするために最も特に適している。
【００３５】
発明に従って用いる非イオン性多糖は、該組成物の水性又は湿性媒体中に作業条件下で可溶性である。
【００３６】
該非イオン性多糖は、それらの重量の５０％よりも多く、好ましくは７０％よりも多くが発明の組成物の作業水性又は湿性媒体中に、すなわち特に該媒体の温度及びｐＨ条件下で可溶性である時に可溶性と考える。
【００３７】
発明の組成物の作業ｐＨは、所望する使用に応じて、約２〜約１２の範囲にすることができる。
【００３８】
それが、
洗浄剤配合物である時に、洗浄浴のｐＨは、約７〜１１にするのが普通であり、８〜１０．５にするのが好ましく；
すすぎ用及び／又は軟化用配合物である時に、すすぎ及び／又は軟化浴のｐＨは、約２〜８にするのが普通であり；
タンブル乾燥機添加物である時に、考慮すべきｐＨは、残留水のｐＨであり、これは約２〜９になり得；
水性アイロン掛け用配合物である時に、該配合物のｐＨは、約５〜９にするのが普通であり；
プレスポッターである時に、考慮すべきｐＨは、洗浄後の操作について洗浄浴のｐＨ、すなわち約７〜１１、好ましくは８〜１０．５である。
【００３９】
発明に従うケアー組成物中に存在する非イオン性多糖の量は、所望する用途に応じて、該組成物の乾燥重量に対して乾燥重量として０．０５〜１０％の範囲にすることができる。
【００４０】
これより、該非イオン性多糖（ＮＰ）は、下記の通りに使用することができる：
【表１】
2004528487.tif 000002
【００４１】
発明に従うケアー組成物中に、その他の構成成分が、非イオン性多糖と共に存在してよい。該組成物は、紡織繊維で造られる品用の少なくとも一種の界面活性剤及び／又は少なくとも一種の洗浄剤添加物及び／又はすすぎ用添加物及び／又は軟化用添加物及び／又は該非イオン性多糖用の少なくとも一種の固体支持体（特にテキスタイル支持体）を含有してよい。
【００４２】
これらの構成成分の性質は、該組成物の所望の使用に依存する。
【００４３】
すなわち、それが紡織繊維で造られる品を洗浄するための洗浄剤配合物である時に、それは、下記を含むのが普通である：
少なくとも一種の天然の及び／又は合成の界面活性剤、
少なくとも一種の洗浄剤補助剤（「ビルダー」）
随意に、酸化剤又はシステム、及び
一連の特定の添加物。
【００４４】
洗浄剤配合物は、界面活性剤を洗浄剤配合物に対して約３〜４０重量％に相当する量で含むことができ、これらの界面活性剤は、下記のようなものである：
アニオン系界面活性剤
Ｒ−ＣＨ（ＳＯ3Ｍ）−ＣＯＯＲ’式（式中、ＲはＣ8〜Ｃ20、好ましくはＣ10〜Ｃ16アルキルラジカルを表し、Ｒ’はＣ1〜Ｃ6、好ましくはＣ1〜Ｃ3アルキルラジカルを表し、Ｍはアルカリ金属（ナトリウム、カリウム又はリチウム）、置換された又は未置換のアンモニウム（メチル−、ジメチル−、トリメチル−もしくはテトラメチルアンモニウム、ジメチルピペリジニウム等）或はアルカノールアミン誘導体（モノエタノールアミン、ジエタノールアミン、トリエタノールアミン等）を表す）のアルキルエステルスルホネート。最も特に、メチルエステルスルホネート（式において、ＲはＣ14〜Ｃ16である）を挙げることができる；
【００４５】
ＲＯＳＯ3Ｍ式（式中、ＲはＣ5〜Ｃ24、好ましくはＣ10〜Ｃ18アルキル又はヒドロキシアルキルラジカルを表し、Ｍは水素原子又は上と同じ定義のカチオン、及びまたそれらのエトキシレン化（ＥＯ）及び／又はプロポキシレン化（ＰＯ）誘導体（平均で０．５〜３０、好ましくは０．５〜１０のＥＯ及び／又はＰＯ単位を含有する）も表す）のアルキルスルフェート；
【００４６】
ＲＣＯＮＨＲ’ＯＳＯ3Ｍ式（式中、ＲはＣ2〜Ｃ22、好ましくはＣ6〜Ｃ20アルキルラジカルを表し、Ｒ’はＣ2〜Ｃ3アルキルラジカルを表し、Ｍは水素原子又は上と同じ定義のカチオン、及びまたそれらのエトキシレン化（ＥＯ）及び／又はプロポキシレン化（ＰＯ）誘導体（平均で０．５〜６０のＥＯ及び／又はＰＯ単位を含有する）も表す）のアルキルアミドスルフェート；
【００４７】
飽和又は不飽和のＣ8〜Ｃ24、好ましくはＣ14〜Ｃ20脂肪酸塩、Ｃ9〜Ｃ20アルキルベンゼンスルホネート、第一又は第二Ｃ8〜Ｃ22アルキルスルホネート、アルキルグリセリルスルホネート、ＧＢ−Ａ−１  ０８２  １７９に記載されているスルホン化ポリカルボン酸、パラフィンスルホネート、Ｎ−アシルＮ−アルキルタウレート、アルキルホスフェート、イセチオネート、アルキルスクシナメート、アルキルスルホスクシネート、スルホスクシネートモノエステル又はジエステル、Ｎ−アシルサルコシネート、アルキルグリコシドスルフェート、ポリエトキシカルボキシレート；カチオンはアルカリ金属（ナトリウム、カリウム又はリチウム）、置換された又は未置換のアンモニウム残基（メチル−、ジメチル−、トリメチル−もしくはテトラメチル−アンモニウム、ジメチルピペリジニウム等）或はアルカノールアミン誘導体（モノエタノールアミン、ジエタノールアミン、トリエタノールアミン等）であり；
【００４８】
非イオン系界面活性剤
オキシアルキレン単位５〜２５を含有する、ポリオキシアルキレン化（ポリオキシエチレン化、ポリオキシプロピレン化又はポリオキシブチレン化）アルキルフェノール（ここで、アルキル置換基はＣ6〜Ｃ12である）；挙げることができる例は、Ｒｏｈｍ  ＆  Ｈａａｓ  Ｃｏ．によって販売される製品Ｔｒｉｔｏｎ  Ｘ−４５、Ｘ−１１４、Ｘ−１００又はＸ−１０２であり；
グルコサミド、グルカミド又はグリセロールアミド；
【００４９】
オキシアルキレン（オキシエチレン又はオキシプロピレン）単位１〜２５を含有するポリオキシアルキレン化Ｃ8〜Ｃ22脂肪族アルコール；挙げることができる例は、Ｕｎｉｏｎ  Ｃａｒｂｉｄｅ  Ｃｏｒｐ．によって販売される製品Ｔｅｒｇｉｔｏｌ  １５−Ｓ−９及びＴｅｒｇｉｔｏｌ  ２４−Ｌ−６  ＮＭＷ、Ｓｈｅｌｌ  Ｃｈｅｍｉｃａｌ  Ｃｏ．によって販売される製品Ｎｅｏｄｏｌ  ４５−９、Ｎｅｏｄｏｌ  ２３−６５、Ｎｅｏｄｏｌ  ４５−７及びＮｅｏｄｏｌ  ４５−４、並びにＴｈｅ  Ｐｒｏｃｔｅｒ  ＆  Ｇａｍｂｌｅ  Ｃｏ．によって販売される製品Ｋｙｒｏ  ＥＯＢであり；
【００５０】
エチレンオキシド又はプロピレンオキシドの縮合から生じる化合物とプロピレングリコールとの縮合から生じる生成物、例えばＢＡＳＦによって販売されるＰｌｕｒｏｎｉｃ製品のようなもの；
エチレンオキシド又はプロピレンオキシドの縮合から生じる化合物とエチレンジアミンとの縮合から生じる生成物、例えばＢＡＳＦによって販売されるＴｅｔｒｏｎｉｃ製品のようなもの；
【００５１】
アミンオキシド、例えばＣ10〜Ｃ18アルキルジメチルアミンオキシド及びＣ8〜Ｃ22アルコキシエチルジヒドロキシエチルアミンオキシドのようなもの；
ＵＳ−Ａ−４  ５６５  ６４７に記載されているアルキルポリグリコシド；
Ｃ8〜Ｃ20脂肪酸アミド；
エトキシル化脂肪酸；
エトキシル化脂肪アミド；
エトキシル化アミン。
【００５２】
両性及び両性イオン性界面活性剤
アルキルジメチルベタイン、
アルキルアミドプロピルジメチルベタイン、
アルキルトリメチルスルホベタイン及び脂肪酸とタンパク質水解物との縮合の生成物；
アルキルアンホアセテート又はアルキルアンホジアセテート（アルキル基は炭素原子６〜２０を含有する）。
【００５３】
界面活性を改良するための洗浄剤補助剤（「ビルダー」）は、液体洗浄剤配合物について約５〜５０重量％、好ましくは約５〜３０重量％に相当する量又は粉末浄剤配合物について約１０〜８０重量％、好ましくは約１５〜５０重量％に相当する量で使用することができ、これらの洗浄剤補助剤は、下記のようなものである：
【００５４】
ミネラル洗浄剤補助剤
アルカリ金属、アンモニウム又はアルカノールアミンのポリホスフェート（トリポリホスフェート、ピロホスフェート、オルトホスフェート又はヘキサメタホスフェート）；
テトラボレート又はボレートプリカーサー；
シリケート、特にＳｉＯ2／Ｎａ2Ｏ比約１．６／１〜３．２／１を有するもの及びＵＳ−Ａ−４  ６６４  ８３９に記載されている層状シリケート；
アルカリ金属又はアルカリ金属カーボネート（バイカーボネート、セスキカーボネート）；
ＥＰ−Ａ−４８８  ８６８に記載されている、Ｑ２又はＱ３形態のケイ素原子に富むアルカリ金属シリケート水和物又はアルカリ金属（ナトリウム又はカリウム）カーボネートの共粒質物；
アルカリ金属（ナトリウム又はカリウム）又はアンモニウムの結晶性又は非晶質アルミノシリケート、例えばゼオライトＡ、Ｐ、Ｘ等のようなもの；粒径約０．１〜１０ミクロメートルを有するゼオライトＡが好適である。
【００５５】
有機洗浄剤補助剤
水溶性ポリホスホネート（エタン１−ヒドロキシ−１，１−ジホスホネート、メチレンジホスホネート塩、等）；
カルボキシリックポリマーもしくはコポリマーの水溶性塩又はそれらの水溶性塩、例えば下記のようなもの：
ポリカルボキシレートエーテル（オキシジコハク酸及びその塩、モノコハク酸タートレート及びその塩、ジコハク酸タートレート及びその塩）；
ヒドロキシポリカルボキシレートエーテル；
クエン酸及びその塩、メリット酸及びコハク酸及びそれらの塩；
ポリ酢酸塩（エチレンジアミンテトラアセテート、ニトリロトリアセテート、Ｎ−（２−ヒドロキシエチル）ニトリロジアセテート）；
Ｃ5〜Ｃ20アルキルコハク酸及びそれらの塩（２−ドデセニルスクシネート、ラウリルスクシネート）；
カルボキシリックポリアセタールエステル；
ポリアスパラギン酸及びポリグルタミン酸及びそれらの塩；
アスパラギン酸及び／又はグルタミン酸を重縮合させることから誘導されるポリイミド；
グルタミン酸又はその他のアミノ酸のポリカルボキシメチル誘導体。
【００５６】
洗浄剤配合物は、また、ペル化合物、好ましくはペル塩を含む酸素放出性漂白剤を少なくとも一種含んでもよい。
【００５７】
該漂白剤は、洗浄剤配合物に対して約１〜３０重量％、好ましくは４〜２０重量％に相当する量で存在することができる。
【００５８】
漂白剤として使用することができるペル化合物の例として、特にペルボレート、例えばナトリウムペルボレート一水和物もしくは四水和物のようなもの；ペル酸素化化合物、例えばナトリウムカーボネートペルオキシヒドレート、ピロホスフェートペルオキシヒドレート、尿素ヒドレート、過酸化ナトリウム及び過硫酸ナトリウムのようなものを挙げるべきである。
【００５９】
好適な漂白剤は、ナトリウムペルボレート一水和物もしくは四水和物及び／又はナトリウムカーボネートペルオキシヒドレートである。
【００６０】
該剤に、洗濯機において現場でペルオキシカルボン酸を発生する漂白用活性剤を、洗浄剤配合物に対して約０．１〜１２重量％、好ましくは０．５〜８重量％に相当する量で組み合わせるのが普通である。これらの活性剤の中で、テトラアセチルエチレンジアミン、テトラアセチルメチレンジアミン、テトラアセチルグリコールウリル、ナトリウムｐ−アセトキシベンゼンスルホネート、ペンタアセチルグルコース及びオクタアセチルラクトースを挙げることができる。
【００６１】
また、酸素の存在において光活性化によって作用する非酸素化漂白剤も挙げることができ、これらは、スルホン化アルミニウム及び／又は亜鉛フタロシアニンのような薬剤である。
【００６２】
洗浄剤配合物は、また、防汚剤、再汚染防止剤、キレート剤、分散剤、螢光剤、抑泡剤、軟化剤、酵素及び種々のその他の添加物を含んでもよい。
【００６３】
防汚剤
これらは、約０．０１〜１０重量％、好ましくは０．１〜５重量％、一層好ましくは０．２〜３重量％の量で使用することができる。
【００６４】
特に下記のような薬剤を挙げることができる：
セルロース誘導体、例えばセルロースヒドロキシエーテル、メチルセルロース、エチルセルロース、ヒドロキシプロピルメチルセルロース又はヒドロキシブチルメチルセルロースのようなもの；
ポリアルキレン幹にグラフトされたポリビニルエステル、例えばポリオキシエチレン幹にグラフトされたポリビニルアセテート（ＥＰ−Ａ−２１９  ０４８）；
ポリビニルアルコール；
【００６５】
エチレンテレフタレート及び／又はプロピレンテレフタレート及びポリオキシエチレンテレフタレート単位をベースにし、エチレンテレフタレート及び／又はプロピレンテレフタレート（単位の数）／ポリオキシエチレンテレフタレート（単位の数）モル比約１／１０〜１０／１、好ましくは約１／１〜９／１を有し、ポリオキシエチレンテレフタレートは分子量約３００〜５０００、好ましくは約６００〜５０００を有するポリオキシエチレン単位を含有するポリエステルコポリマー（ＵＳ−Ａ−３  ９５９  ２３０、ＵＳ−Ａ−３  ８９３  ９２９、ＵＳ−Ａ−４  １１６  ８９６、ＵＳ−Ａ−４  ７０２  ８５７、ＵＳ−Ａ−４  ７７０  ６６６）；
【００６６】
エトキシル化アリルアルコール、ジメチルテレフタレート及び１，２−プロピレンジオールから誘導されるオリゴマーをスルホン化することによって得られる、スルホン化基１〜４を含有するスルホン化ポリエステルオリゴマー（ＵＳ−Ａ−４  ９６８  ４５１）；
プロピレンテレフタレート及びポリオキシエチレンテレフタレート単位をベースにしかつエチル又はメチル単位で終わるポリエステルコポリマー（ＵＳ−Ａ−４  ７１１  ７３０）或はアルキルポリエトキシ基で終わるポリエステルオリゴマー（ＵＳ−Ａ−４  ７０２  ８５７）又はスルホポリエトキシで終わるポリエステルオリゴマー（ＵＳ−Ａ−４  ７２１  ５８０）又はスルホアロイル（ＵＳ−Ａ−４  ８７７  ８９６）アニオン基で終わるポリエステルオリゴマー；
テレフタル、イソフタル及びスルホイソフタル酸、無水物又はジエステルとジオールとから誘導されるスルホン化ポリエステルコポリマー（ＦＲ−Ａ−２  ７２０  ３９９）。
【００６７】
再汚染防止剤
これらは、通常、粉末浄剤配合物について約０．０１〜１０重量％又は液体浄剤配合物について約０．０１〜５重量％の量で使用することができる。
【００６８】
特に、下記のような試薬を挙げることができる：
エトキシル化モノアミンもしくはポリアミン、及びエトキシル化アミンポリマー（ＵＳ−Ａ−４  ５９７  ８９８；ＥＰ−Ａ−１１  ９８４）；
カルボキシメチルセルロース；
イソフタル酸、ジメチルスルホスクシネート及びジエチレングリコールを縮合させることによって得られるスルホン化ポリエステルオリゴマー（ＦＲ−Ａ−２  ２３６  ９２６）；
ポリビニルピロリドン。
【００６９】
キレート剤
鉄及びマグネシウムをキレート化する薬剤が約０．１〜１０重量％、好ましくは約０．１〜３重量％の量で存在することができる。
【００７０】
中でも、下記を挙げることができる：
アミノカルボキシレート、例えばエチレンジアミンテトラアセテート、ヒドロキシエチルエチレンジアミントリアセテート及びニトリルトリアセテートのようなもの；
アミノホスホネート、例えばニトリロトリス（メチレンホスホネート）のようなもの；
多官能価芳香族化合物、例えばジヒドロキシジスルホベンゼン。
【００７１】
ポリマー分散剤
これらは、カルシウム及びマグネシウム硬度を調節するのに、約０．１〜７重量％の量で存在することができ、これらは、下記のような試薬である：
エチレン性不飽和カルボン酸、例えばアクリル酸、マレイン酸又は無水物、フマル酸、イタコン酸、アコニット酸、メサコン酸、シトラコン酸又はメチレンマロ酸のようなものを重合又は共重合させることによって得られる、分子質量約２０００〜１０００００を有する水溶性ポリカルボン酸塩、最も特に分子質量約２０００〜１００００を有する水溶性ポリアクリレート（ＵＳ−Ａ−３  ３０８  ０６７）、分子質量約５０００〜７５０００を有する、アクリル酸と無水マレイン酸とのコポリマー（ＥＰ−Ａ−６６  ９１５）；
分子質量約１０００〜５００００を有するポリエチレングリコール。
【００７２】
蛍光剤（増白剤）
これらは、約０．０５〜１．２重量％の量で存在することができ、これらは、下記のような試薬である：
スチルベン、ピラゾリン、クマリン、フマル酸、桂皮酸、アゾール、メチンシアニン、チオフェン、等、誘導体（“Ｔｈｅ  ｐｒｏｄｕｃｔｉｏｎ  ａｎｄ  ａｐｐｌｉｃａｔｉｏｎ  ｏｆ  ｆｌｕｏｒｅｓｃｅｎｔ  ｂｒｉｇｈｔｅｎｉｎｇ  ａｇｅｎｔｓ”−Ｍ．Ｚａｈｒａｄｎｉｋ，１９８２年、ニューヨーク、Ｊｏｈｎ  Ｗｉｌｅｙ  ＆  Ｓｏｎｓによって出版された）。
【００７３】
抑泡剤
これらは、約５重量％までにすることができる量で存在することができ、これらは、下記のような試薬である：
Ｃ10〜Ｃ24脂肪モノカルボン酸或はそれらのアルカリ金属、アンモニウム又はアルカノールアミン塩、及び脂肪酸トリグリセリド；
飽和されたもしくは不飽和の脂肪族、脂環式、芳香族又は複素環式炭化水素、例えばパラフィン及びワックスのようなもの：
Ｎ−アルキルアミノトリアジン；
モノステアリルホスフェート及びモノステアリルアルコールホスフェート；
ポリオルガノシロキサン油又は樹脂、これらに必要に応じてシリカ粒子を組み合わせる。
【００７４】
軟化剤
これらは、約０．５〜１０重量％の量で存在することができ、これらは、クレーのような試薬である。
【００７５】
酵素
これらは、重量により活性酵素５ｍｇ／洗浄剤配合物１ｇまで、好ましくは活性酵素約０．０５〜３ｍｇ／洗浄剤配合物１ｇにすることができる量で存在することができ、これらは、下記のような酵素である：
プロテアーゼ、アミラーゼ、リパーゼ、セルラーゼ及びペルオキシダーゼ（ＵＳ−Ａ−３  ５５３  １３９、ＵＳ−Ａ−４  １０１  ４５７、ＵＳ−Ａ−４  ５０７  ２１９、ＵＳ−Ａ−４  ２６１  ８６８）。
【００７６】
その他の添加物
中でも、下記を挙げることができる：
緩衝剤、
芳香剤、
顔料。
【００７７】
洗浄剤配合物は、特に洗濯機において、洗浄作業を温度約２５〜９０℃で実施するのに０．５〜２０ｇ／ｌ、好ましくは２〜１０ｇ／ｌの割合で使用することができる。
【００７８】
発明のケアー組成物の第二の実施態様は、紡織繊維で造られる品をすすぐ及び／又は軟化するための水性液体配合物からなる。
【００７９】
この配合物は、０．２〜１０ｇ／ｌ、好ましくは２〜１０ｇ／ｌの割合で使用することができる。
【００８０】
非イオン性多糖と共に、下記のようなタイプのその他の構成成分が存在してよい：
該配合物の３〜５０重量％、好ましくは４〜３０重量％の範囲にすることができる量のカチオン系界面活性剤（ジメチルスルフェート、Ｎ−メチルイミダゾリンタローエステルメチルスルフェート、ジアルキルジメチルアンモニウムクロリド、アルキルベンジルジメチルアンモニウムクロリド、メチルアルキルイミダゾリニウムスルフェート、メチル及びメチルビス（アルキルアミドエチル）−２−ヒドロキシエチルアンモニウムスルフェート、等で第４級化したトリエタノールアミンジエステル）の組合せ、これらに必要に応じて非イオン系界面活性剤（エトキシル化脂肪アルコール、エトキシル化脂肪アルキルフェノール、等）を３重量％までにすることができる量で組み合わせる；
ポリオルガノシロキサン（０．１〜１０％）
光学的増白剤（０．１〜０．２％）；
必要に応じて、色彩堅牢剤（ポリビニルピロリドン、ポリビニルオキサゾリドン、ポリメタクリルアミド、等、０．０３〜２５％、好ましくは０．１〜１５％）、
着色剤、
芳香剤、
溶剤、特にアルコール（メタノール、エタノール、プロパノール、イソプロパノール、エチレングリコール又はグリセロール）、
泡リミター。
【００８１】
発明のケアー組成物の第三の実施態様は、紡織繊維で造られる品を適したタンブル乾燥機において乾燥させるための添加物からなる。
【００８２】
該添加物は、例えば織布又は不織布のストリップ或はセルロースのシートからなる可撓性固体支持体に該非イオン性多糖を含浸させて含み；該添加物は、タンブル乾燥の時に温度約５０〜８０℃で１０〜６０分間乾燥させるべき湿潤洗濯物中に導入する。
【００８３】
該添加物は、また、上述したようなカチオン性軟化剤（９９％まで）及び色彩堅牢剤（８０％まで）を含んでもよい。
【００８４】
発明のケアー組成物の第四の実施態様は、アイロン掛けする前に乾燥織物に直接スプレーすることができるアイロン掛け用配合物からなる。
【００８５】
該配合物は、また、シリコーンベースのポリマー（０．２〜５％）、非イオン系界面活性剤（０．５〜５％）又はアニオン系界面活性剤（０．５〜５％）、芳香剤（０．１〜３％）又はセルロース誘導体（０．１〜３％）、例えばデンプンを含有してもよく；該配合物を織物にスプレーすると、織物をアイロン掛けするのを一層容易にしかつ織物を織る時に織物の折りじわを制限する。
【００８６】
発明のケアー組成物の第五の実施態様は、水溶液又は分散液又は固体（スティック）の形態であるプレスポッターからなる。
【００８７】
非イオン性多糖と共に、下記のようなタイプのその他の構成成分が存在してよい：
組成物の重量の少なくとも５％の量の、すでに上述したようなアニオン系界面活性剤
組成物の重量の１５〜４０％の範囲にすることができる量の、すでに上述したような非イオン系界面活性剤
組成物の重量の５〜２０％の範囲にすることができる量の脂肪族炭化水素。
【００８８】
下記の例は、例示する目的で挙げる。
例において使用する非イオン性多糖は、下記である：
改質度１．２及び動的粘度１３００ｍＰａ．ｓを有するヒドロキシプロピルグアーＨＰＧ１
改質度０．６及び動的粘度３０００ｍＰａ．ｓを有するヒドロキシプロピルグアーＨＰＧ２
【実施例１】
【００８９】
洗浄剤配合物
【表２】
2004528487.tif 000003
【００９０】
【表３】
2004528487.tif 000004
【００９１】
洗濯作業は、洗浄剤組成物配合の当業者に良く知られているＴｅｒｇｏｔｏｍｅｔｅｒ実験室機で実施する。その機械は、脈動タイプＡｍｅｒｉｃａｎ洗濯機の機械的及び熱的作用をシミュレートするが、６つの洗濯ドラムが存在することにより、同時の一連のテストを、時間を容認し得る程に節約して実施することを可能にする。
【００９２】
未完成の綿（Ｐｈｏｅｎｉｘ  Ｃｏｌｉｏ  Ｌｔｄ．から参照２４３６Ｗで供給される）から、１０×１０ｃｍテスト片を切断する。
【００９３】
綿テスト片を、初めにアイロン掛けし、それで綿テスト片がすべて洗濯する前に同じレベルの折りじわを有するようにする。
【００９４】
次いで、綿テスト片を、非イオン性多糖を含有する又は含有しない上記の洗浄剤配合物を使用して下記の条件下で洗濯しかつ３回すすぐ：
Ｔｅｒｇｏｔｏｍｅｔｅｒドラム当たりのテスト片の数：１０
水の容量：１リットル
Ｃｏｎｔｒｅｘｅｖｉｌｌｅ（登録商標）ブランドミネラル水を適当に希釈することによって得られるフランス硬度３０°ＴＨの水
洗濯物濃度：５ｇ／ｌ
洗濯温度：４０℃
洗濯時間：２０分
Ｔｅｒｇｏｔｏｍｅｔｅｒの回転速度：１００ｒｐｍ
冷水によるすすぎ（約３０°ＴＨ）
すすぎ時間：５分
【００９５】
次いで、テスト片に１５０ｇｃｍ-2プレス下で９０分間しわをつけた後に、テスト片を垂直に一晩乾燥させる。
【００９６】
次いで、乾燥したテスト片のディジタルのカラー写真を撮り、次いで、それを２５６レベルのグレー（グレースケール０〜２５５）に転化させる。
【００９７】
各々のレベルのグレーに対応するピクセルの数をカウントする。
【００９８】
得られた各々のヒストグラムについて、グレーのレベルの分布の標準偏差σを測定する。
σ１は、非イオン性多糖を含有しない浄剤配合物によって得られる標準偏差に相当する。
σ２は、非イオン性多糖を含有する浄剤配合物によって得られる標準偏差に相当する。
【００９９】
性能値ＷＲ（しわ回復）（Ｗｒｉｎｋｌｅ  Ｒｅｃｏｖｅｒｙ）は、下記の式によって与えられる：
ＷＲ（％）＝［（σ１−σ２）／σ１］ｆ×１００
ｆは、標準化ファクターであり、ここでは約２．１である。
【０１００】
０％の値は、利点ゼロに相当し、
１００％の値は、しわを伸ばした表面（アイロン掛けした後に得られる平らな表面）に相当する。
【０１０１】
得られた性能値は、下記の通りである：
【表４】
2004528487.tif 000005
【０１０２】
ＷＲのこれらの正の値は、発明に従う非イオン性多糖を含む洗浄剤配合物によって防しわ性がもたらされることを表わす。
【実施例２】
【０１０３】
すすぎ用／軟化用配合物
【表５】
2004528487.tif 000006
【実施例３】
【０１０４】
色の保護の測定
原理
これは、規定の条件下で、幾種もの着色綿織物のサンプルの洗濯を１０回行うに在る。色保護効能を、自動洗濯機においてテストする。実際の評価は、反射率測定によって行う。織物を、洗濯を１０回行う前と後とで調べる。このようにして記録した色の変化（ΔＥ*）は、各々のタイプの織物での色の損失を構成する。
【０１０５】
装置−試薬
ＡＥＧ  Ｌａｖａｍａｔ  ２０５０  Ｔｕｒｂｏ自動洗濯機：商用の前面装填方式洗濯機−４０℃における洗濯サイクル−洗濯用水の容量：１３リットル。記録したプログラム：１０洗濯サイクル。
ＬＵＣＩ１００−Ｄｒ  Ｌａｎｇｅ反射率計：
これは、織物の色を、洗濯を行う前と後とで測定するために使用する反射率機械である。
６枚のふきん：４０２ＭＢＬＩと参照符をつけられたグレー綿布製（Ｄ．ＰＯＲＴＨＡＵＬＴ  ＳＡから）
４枚のタオル（バラストとして）：プラッシュ−ループ白色綿テリータオル５００ｇ／ｍ2（Ｄ．ＰＯＲＴＨＡＵＬＴ  ＳＡから）
３つの異なる商用の着色織物のサンプリング
黒色織綿
赤色織綿
青緑色織綿
青色織綿
プリントした織綿
【０１０６】
手順
洗濯条件：
洗濯温度：４０℃
継続時間：約６７分
洗濯回数：１０
洗濯物負荷：乾燥重量３ｋｇ（タオル４枚＋小テーブルクロス６枚＋着色織物）
浴容積：１３リットル±１リットル
水硬度：約２３°ＴＨ  フランス
洗濯配合濃度：５±０．１ｇ／ｌ
【０１０７】
手順：５工程
新しい織物サンプルの色を測定する
連続して洗濯する間にすり切れるのを避けるために、着色織物サンプルを縫い合わせて小テーブルクロスにする
洗濯を１０回サイクルの間に乾燥しないで行う
屋外で乾燥する
洗濯した織物に関して色を測定する。
【０１０８】
色をＬＵＣＩ１００反射率計で測定する：
使用した測定システムは、ＣＩＥ［Ｉｎｔｅｒｎａｔｉｏｎａｌ  Ｃｏｍｍｉｓｓｉｏｎ  ｏｎ  Ｉｌｌｕｍｉｎａｔｉｏｎ］−Ｌ*ａ*ｂ*システム（ＤＩＮ６１７４、ＣＩＥ−ＬＡＢ  １９７６）である。
【０１０９】
その測定システムは、下記の通りに構成される：
Ｌ*は、白−黒スケールでの白色度に相当する。
白色サンプルについて、Ｌ*＝１００
黒色サンプルについて、Ｌ*＝０
ａ*は、緑色から赤色までの範囲で色の位置を特定する。
ａ*≧０  色は、赤色の傾向がある。
ａ*≦０  色は、緑色の傾向がある。
ｂ*は、黄色から青色までの範囲で色の位置を特定する。
ｂ*≧０  色は、黄色の傾向がある。
ｂ*≦０  色は、青色の傾向がある。
【０１１０】
織物の各々のサンプルを、５つの異なる点（中央で一点及び各々の角で一点）において測定し、成分Ｌ*、ａ*及びｂ*の平均を計算する。
【０１１１】
結果を引き出す：
反射率計に、上に記録したデータから間接的にΔＥ*を計算するソフトウエアを装着する。この値は、洗濯した後に織物に関して記録される色変化に相当し、下記の通りに表される：
【数１】
2004528487.tif 000007
【０１１２】
次いで、各々の織物についての色の損失は、下記の数式によって与えられる：
【数２】
2004528487.tif 000008
【０１１３】
多糖の性能品質を、下記の式に従ってパーセンテージとして評価する：
【数３】
2004528487.tif 000009
ΔＥrefは、非イオン性多糖を用いない例１の配合物（Ｃ）によって得られるΔＥに相当し、ΔＥtreatedは、非イオン性多糖を含有する例１の配合物（Ｄ）によって得られるΔＥに相当する。
【０１１４】
０％の性能は、非イオン性多糖を用いないで洗濯した織物に対して利点ゼロに相当し、
１００％の性能は、色変化の不存在（織物は、新しい物と同様である）に相当する。
【０１１５】
得られた結果は、下記の通りである：
【表６】
2004528487.tif 000010
【０１１６】
これらの結果は、配合物（Ｄ）中に非イオン性多糖が存在すると、色の保護を相当に向上させることができることを示す。
【国際公開パンフレット】
2004528487.tif 000011
2004528487.tif 000012
2004528487.tif 000013
2004528487.tif 000014
2004528487.tif 000015
2004528487.tif 000016
2004528487.tif 000017
2004528487.tif 000018
2004528487.tif 000019
2004528487.tif 000020
2004528487.tif 000021
2004528487.tif 000022
2004528487.tif 000023
2004528487.tif 000024
2004528487.tif 000025
2004528487.tif 000026
2004528487.tif 000027
2004528487.tif 000028
2004528487.tif 000029
2004528487.tif 000030
2004528487.tif 000031
2004528487.tif 000032
2004528487.tif 000033
2004528487.tif 000034
2004528487.tif 000035
2004528487.tif 000036
2004528487.tif 000037
2004528487.tif 000038
2004528487.tif 000039
2004528487.tif 000040
【国際調査報告】
2004528487.tif 000041
2004528487.tif 000042
2004528487.tif 000043
2004528487.tif 000044
2004528487.tif 000045
2004528487.tif 000046